(57)【要約】【課題】激しい運動時にも快適に着用できる吸水性、通気性を有し、しかも身体に心地よくフィットするブラジャーとしての機能を有するスキニータイプのハーフトップとショーツを提供する。【解決手段】本考案の婦人用衣料は、吸水速乾糸よりなる伸縮性生地と、通気性を有する伸縮性地とを組み合わせ、該二種の生地の縫着部と衣料端縁にテープ状吸水速乾糸よりなる伸縮性生地を熱接着してなる、身体を被覆整容するハーフトップ又はショーツよりなる婦人用衣料である。吸水速乾糸が、異形断面を有するポリエステル糸であり、通気性を有する伸縮性地が、通気孔を有するよう編成された編地を使用した。【選択図】  図１
0003137899.tif 000002
【実用新案登録請求の範囲】
【請求項１】
吸水速乾糸よりなる伸縮性生地と、通気性を有する伸縮性地とを組み合わせ、該二種の生地の接合部と衣料端縁にテープ状吸水速乾糸よりなる伸縮性生地を熱接着してなる、身体を被覆整容するハーフトップ又はショーツよりなる婦人用衣料。
【請求項２】
吸水速乾糸が、異形断面を有するポリエステル糸である請求項１に記載の婦人用衣料。
【請求項３】
通気性を有する伸縮性生地が、通気孔を有するよう編成された編地である請求項１または請求項２に記載の婦人用衣料。
【請求項４】
前身頃及び前身頃に連続する脇下を越えて後身頃袖刳下まで連接された表地に吸水速乾糸よりなる伸縮性生地を用い、前身頃バスト上部を除く前身頃及び前身頃に連続する脇下を越えて後身頃袖刳下まで連接された部分よりなる裏地に通気孔を有するよう編成された編地を用いて該部分を二枚の重ねた伸縮性布地で形成し、裏側伸縮性メッシュ地のバスト上部をバストパッド挿入口とし前身頃表地のバスト部をモールド加工してバスト部にふくらみを形成し、バストパッド挿入口及びバスト部以外の前身頃と後身頃を相互に熱融着してなる請求項１乃至請求項３のいずれかに記載のハーフトップよりなる婦人用衣料。
【請求項５】
後身頃を、通気孔を有するよう編成された編地で形成し、前身頃及び後身頃の襟刳、袖刳、後身頃袖刳下の前身頃と後身頃との接合部裏面を吸水速乾糸よりなる伸縮性生地で形成したテープ状布地を熱接着すると共に、ハーフトップ下端部裏面に弾性テープを熱接着してなる請求項４に記載のハーフトップよりなる婦人用衣料。
【請求項６】
前身頃、後身頃、および股下に設けられたクロッチ布よりなるショーツにおいて、前身頃前当て布と後身頃より前身頃股刳部に連続する後身頃部分が吸水速乾糸よりなる伸縮性生地で形成され、後身頃ウエスト部より前身頃股刳と該前身頃前当て布との間に帯状に連続して設けられた中間布が通気孔を有するよう編成された編地で構成され、各部生地の接合部裏面を吸水速乾糸よりなる伸縮性生地で形成したテープ状布地を熱接着すると共に、ショーツ上端部裏面に弾性テープを熱接着してなる請求項１乃至請求項３のいずれかに記載のショーツよりなる婦人用衣料。
【請求項７】
前身頃、後身頃、および股下に設けられたクロッチ布よりなるショーツにおいて、ショーツ前身頃と後身頃の両生地の主部分を吸水速乾糸よりなる伸縮性生地で形成し、前身頃跨刳左右端縁に沿ってショーツ脇部に向って拡大する撥状通気部と、前身頃から連続し後腰部で上方を向いた三角形とされたクロッチ布、ショーツ後身頃上端に設けられた逆三角形部分とに通気孔を有するよう編成された編地を配合してなる請求項１乃至請求項３のいずれかに記載のショーツよりなる婦人用衣料。 
【考案の詳細な説明】
【技術分野】
【０００１】
本考案は、上半身と下半身をそれぞれ被覆整容するハーフトップ及びショーツよりなる婦人用衣料において、吸水性と通気性を考慮すると共に、衣料剥目と端縁を熱融着によって成形したスキニータイプの婦人用衣料に関する。
【背景技術】
【０００２】
従来、女性の使用する肌着として、乳房を保持し、胸部、腰部を美しく整えるために種々の形状のものが提案されている。近年、健康志向が高まりウォーキング、エアロビクス等のフィットネス運動の隆盛にともない、ブラジャーとキャミソールを兼用するようなタイプのハーフトップとショーツよりなる、身体に密着しフラットなスキニータイプの婦人用衣料が好まれるようになった。
【０００３】
下着を構成する伸縮性生地同士をホットメルト性接着剤からなる接着テープの融着で接合し、二枚の生地の接合部や脇繰り、跨刳り等の嵩高性を低下させることが提案されている。（特許文献１）。また、ファンデーション下着として身頃構成部片相互を、縫い目がなくシームレスに接合することについて、身頃構成部片相互の外形に略一致する外形に全部又は一部が裁断された基布にホットメルト接着剤を積層した接合シートによって、身頃構成部片を相互に接合することも提案されている。（特許文献２）。しかしながら、この接合シート部分の接合は、身頃構成部片の相互の衝合縁を介して跨がせて重合するものであり、身頃構成部片と基布とは、二重もしくは三重に接着されることになり、接着部分の嵩高性や接合部の強度には問題がある。
更に、従来の接着によるファンデーション肌着は、身体の成形や、フィット性について考慮はされているものの、素材の吸水性、通気性については難点があった。
【特許文献１】実用新案登録第３０５５３７４号公報
【特許文献２】特開２００２−２０１５０５号公報
【考案の開示】
【考案が解決しようとする課題】
【０００４】
本考案は、上述の欠点を克服し、激しい運動時にも快適に着用できる吸水性、通気性を有し、しかも身体に心地よくフィットするブラジャーとしての機能を有するスキニータイプのハーフトップとショーツであり、フィットネス時等には、他の衣類を羽織っても、下着のラインがアウターに響かない婦人用衣料を提供することを目的とする。  即ち、本考案のハーフトップと、ショーツは吸水性、通気性を有する素材を使用すると共に、接合部あるいは縫い目が肌に直接触れないよう接合部を吸水速乾性を有するテープで被覆してホットメルト接着しているので、激しい運動時にも吸汗、発汗作用を有するので着用感に極めて優れ、窮屈感無く、自然な身体の補形が可能である。
【課題を解決するための手段】
【０００５】
本考案の婦人用衣料は、身体を被覆整容するハーフトップ又はショーツよりなり、吸水速乾糸よりなる伸縮性生地と、通気性を有する伸縮性地とを組み合わせ、該二種の生地の接合部と衣料端縁にテープ状吸水速乾糸よりなる伸縮性生地を熱接着してなる、身体を被覆整容する婦人用衣料である。吸水速乾糸としては、異形断面を有するポリエステル糸を使用することが出来る。通気性を有する伸縮性地としては、通気孔を有するよう編成された編地を使用することが好ましい。
【０００６】
上記構成素材によって形成されるハーフトップ又はショーツよりなる婦人衣料は、各構成素材をそれらの有する機能に応じて各部分に配置、熱接着によって構成することが出来る。
即ち、前身頃及び前身頃に連続する後身頃袖刳下よりなる表地に吸水速乾糸よりなる伸縮性生地を用い、前身頃バスト上部を除く前身頃及び前身頃に連続する後身頃袖刳下よりなる裏地に通気孔を有するよう編成された編地を用いて該部分を二枚の伸縮性布地で形成し、裏側伸縮性メッシュ地のバスト上部をバストパッド挿入口とし前身頃表地のバスト部をモールド加工してバスト部にふくらみを形成し、バスト部以外の前身頃と後身頃袖刳下を相互に熱融着したハーフトップ、さらに、後身頃袖刳下に連続する後身頃を、通気孔を有するよう編成された編地で形成し、前身頃及び後身頃の襟刳、袖刳、後身頃袖刳下と後身頃との接合部裏面を吸水速乾糸よりなる伸縮性生地で形成したテープ状布地を熱接着すると共に、ハーフトップ下端部裏面にゴム状テープを熱接着することにより、吸水性、通気性を有し、十分な身体の補形が可能なハーフトップを得る。
【０００７】
また、請求項６及び請求項７に記載のショーツにおいては、前身頃、後身頃、および股下に設けられたクロッチ布よりなるショーツにおいて、前身頃と後身頃の発汗の盛んな部分に発汗性により優れた通気孔を有するよう編成された編地を部分的に使用している。即ち、請求項６のショーツにおいては、前身頃前当て部と後身頃より前身頃股刳部に連続する後身頃部分が吸水速乾糸よりなる伸縮性生地で形成され、後身頃ウエスト部より前身頃股刳部と該前身頃前当て部との間に帯状に連続して設けられた中間布部分が通気孔を有するよう編成された編地で構成される。また、請求項７に記載のショーツは、ショーツ前身頃と後身頃の両生地の主部分を吸水速乾糸よりなる伸縮性生地で形成し、前身頃跨刳部左右端縁に沿ってショーツ脇部に向って拡大する撥状通気部と、前身頃から連続し後腰部で上方を向いた三角形とされたクロッチ布、ショーツ後身頃上端に設けられた逆三角形部分とに通気孔を有するよう編成された編地を配合した。ショーツ前身頃と後身頃の両生地の主部分とは、上記、通気孔を有するよう編成された編地を配合した部分以外のショーツ前身頃と後身頃を意味する。これらショーツの各部生地の接合部裏面を吸水速乾糸よりなる伸縮性生地で形成したテープ状布地を熱接着すると共に、ショーツ上端部裏面にゴム状テープを熱接着してなるものであるので、身体への密着度に優れるとともに、吸水速乾糸よりなる伸縮性生地部分が設けられているので、発汗作用が促進される。
【考案の効果】
【０００８】
本考案の婦人用衣料であるハーフトップとショーツは、吸水速乾性と通気性に考慮して新たな素材を使用すると共に各構成部分にそれぞれ適した素材を配するようデザインされたものである。各構成部分の結合部は熱接着を利用して成形し、縫合による縫い目の段差を極力排除したものであるので、下着のラインがアウターに響くことなく、肌あたりが極めてよい。また、激しい運動による発汗に対応可能な吸湿性と通気性を有し、着用感にきわめて優れると共に身体の補形機能も有するハーフトップとショーツである。
【考案を実施するための最良の形態】
【０００９】
本考案の婦人用衣料を図面によって説明する。
図１Ａは、本考案のハーフトップ前身頃の正面図、図１Ｂは図１Ａのハーフトップを肌側から見た内面図、図２Ａは該後身頃の正面図、図１Ｂは図１Ｂのハーフトップを肌側から見た内面図である。
ハーフトップ本体１の前身頃１Ａは、生地を重ねて用いる場合、吸水速乾糸よりなる伸縮性生地３を表地として用いる。この前身頃１Ａの表地は、図２Ａに示すように、脇下を越えて後身頃袖刳下線４まで連接されている。前身頃表地の中央下方には、デザイン上、及び通気性を考慮して、三角状開口５を設けても良い。ハーフトップ本体１を肌側から見ると、図１Ｂ、図２Ｂに示すように、吸水速乾糸よりなる伸縮性生地３よりなる前身頃表地２と、これに連続する脇下伸縮性生地３の裏面に、通気孔を有するよう編成された編地６を重ねる。編地６よりなる前身頃編地のバスト部７上端には開口縁８を設け、バスト部７へのパッドの挿入を可能とする。前身頃１Ａの表地の吸水速乾糸よりなる伸縮性生地３のバスト部７は、モールド加工してふくらみを持たせることが好ましい。前身頃１Ａの表地と、これに連続する脇下伸縮性生地３及びこれに重ねられた通気孔を有する編地６とは、前身頃１Ａの裏側に設けられた開口縁８からバスト部７に至る部分を除いて熱接着により張り合わせ一体化すると共に、バスト部７にバストパッドが挿入できるように形成する。
【００１０】
図２Ａに示すハーフトップ本体１の後身頃１Ｂには通気孔を有するよう編成された編地６を使用し、肩上端接合部１０において、吸水速乾糸よりなる伸縮性生地３よりなる前身頃１Ａの上端と熱接着し、後身頃１Ｂの袖刳下線４において前身頃１Ａと後身頃１Ｂの編地６とを熱接着する。これら接合部４，１０およびハーフトップ本体１の後身頃１Ｂの肩上端接合部１０、襟刳１１、袖刳１２は、好ましくは吸水速乾糸よりなる伸縮性生地３を裁断して形成したリボン状テープ１３を熱接着することにより処理する。尚、本考案においては、ハーフトップの伸縮力に十分耐える強度を持たせるため、部分的に吸水速乾糸よりなる伸縮性生地３と通気孔を有する編地６との接合部もしくはそれぞれ同一地同志の接合部において、両地を一旦縫合し、その縫い目を覆い隠すようにテープ１３を熱接着したり、又は、適宜箇所をかんぬき止めすることも出来る。
上記のように形成したハーフトップ本体１は、好ましくはウエスト付近に位置する下端部に弾性テープ１４を熱接着してハーフトップの運動時のずり上がりを防止することが好ましい。
【００１１】
次に、ショーツの構造につき、第１の実施例を示す３図Ａ，Ｂ、４図Ａ，Ｂを用いて説明する。図３Ａには前身頃の正面図、図３Ｂは肌側から見た内面図、図４Ａは、後身頃の正面図、図４Ｂは、肌側から見た内面図である。
ショーツ本体１５は、ショーツ前身頃１５Ａ、ショーツ後身頃１５Ｂ、および股下に設けられたクロッチ布１８よりなり、前身頃１５Ａから後身頃１５Ｂの両上端に連続した前当て布１９とショーツ後身頃１５Ｂから前身頃１５Ａの股刳２１上部に連続する部分の後身頃１５Ｂが吸水速乾糸よりなる伸縮性生地３で形成される。
一方、前身頃１５Ａの前当て布１９の左右端縁２０，２０と、後身頃１５Ｂより前身頃股刳２１に至る後身頃１５Ｂとの間に連続してショーツ本体１５の左右に設けられた帯状中間布２３が、通気孔を有するよう編成された編地６で構成され、腰部の発汗を助長する構造となっている。図３Ｂ，図４Ｂの肌側内面図から明らかなように、ハーフトップの形成において説明したと同様に、前身頃前当て布１９と帯状中間布２３、帯状中間布２３と後身頃１５Ｂとの接合部分の処理は、好ましくは吸水速乾糸よりなる伸縮性テープ１３を熱接着することにより処理する。股刳２１の端縁の処理も同様に行うことが出来る。クロッチ布１８には、吸水速乾糸よりなる伸縮性生地３よりなる表地に重ねて、綿素材等よりなる肌触り良く吸湿性布地を肌側に設けることが好ましい。また、ウエスト付近に位置する上端部には、弾性状テープ２４を熱接着する。
【００１２】
図５、図６に、ショーツの第２の実施例を示す。図５は、正面図、図６は背面図である。この実施例のショーツにおいては、図５に示すように、ショーツ本体１６のショーツ前身頃１６Ａにおいて、前身頃１６Ａの表地として使用される吸水速乾糸よりなる伸縮性生地３の下方に、股刳２１の左右端縁に沿って撥状通気部２５を設け、通気孔を有し通気性を有する編地６を接合する。更に、股下部分においても、第６図のショーツ後身頃正面図に示すように、通気孔を有し通気性を有するよう編成された編地６よりなる通気性クロッチ布２６を前身頃１６Ａから後身頃１６Ｂに掛けて股下を連続して形成し、後腰部では、上方を向いた三角形状に構成して接合する。また、第６図に示すようにショーツ後身頃１６Ｂの穿口上端にも三角状編地部２７を設けて、股下部分と腰部の発汗を促進するように構成することができる。各身頃と撥状通気部２５、通気性クロッチ布２６、三角状編地部２７の接合は、前記実施態様において説明したように、吸水速乾糸よりなる伸縮性生地３を裁断して形成した伸縮性テープ１３を熱接着することにより処理する。また、この実施態様においても、ウエスト付近に位置する上端部に弾性テープを熱接着することができることは言うまでもない。
【００１３】
次に、本考案において使用する吸水速乾糸よりなる伸縮性生地と、通気孔を有するよう編成された編地について説明する。吸水速乾糸よりなる伸縮性生地の弾性糸としては、ポリウレタン弾性糸、ポリウレタンとポリアミドの複合糸、ポリエーテル・エステル系弾性糸が知られているが、本考案において最も好ましく使用されるのは、異型繊維断面構造を有するように紡糸された表面に溝を有する弾性糸であって、例えば、繊維の断面構造が十字の花状である公知の断面構造を有する繊維を使用することが出来る。該繊維は、このような構造をとることにより繊維表面が４０〜５０％増加し、毛細管効果と通気性によって、吸水速乾性を有する伸縮性生地が得られる。通気孔を有する編地については、従来より良く知られており、特に限定されるものではないが、一例として、伸縮性糸を縦メリヤスで編成するとき、編目を一定のコースごとに編成せずに編目を大きくすることで編地に細孔を任意に設けることが出来る。
【産業上の利用可能性】
【００１４】
本考案のハーフトップおよびショーツは、吸水速乾性と通気性に考慮した素材を使用すると共に各構成部分にそれぞれ適した素材を配するようデザインされたもので各構成部分の結合部は熱接着を利用して成形したものであるので、成形が容易であり、下着のラインがアウターに響くことなく、肌あたりが極めてよく、激しい運動による発汗に対応可能な吸湿性と通気性を有し、着用感にきわめて優れるハーフトップとショーツである。
【図面の簡単な説明】
【００１５】
【図１】Ａは本考案ハーフトップ前身頃の正面図、ＢはＡのハーフトップを肌側から見た内面図である。
【図２】Ａは本考案ハーフトップ後身頃の正面図、ＢはＡのハーフトップを肌側から見た内面図である。
【図３】Ａは本考案ショーツ前身頃の正面図、ＢはＡのショーツを肌側から見た内面図である。
【図４】Ａは本考案ショーツ後身頃の正面図、ＢはＡのショーツを肌側から見た内面図である。
【図５】本考案ショーツの他の実施例を示す正面図である。
【図６】図５に示した本考案ショーツの他の実施例を示す背面図である。
【符号の説明】
【００１６】
１  ハーフトップ本体
１Ａ  ハーフトップ前身頃
１Ｂ  ハーフトップ後身頃
３  伸縮性生地
４  後身頃袖刳下線
５  三角状開口
６  編地
７  バスト部
８  開口縁
１０  肩上端剥目  
１１  襟刳
１２  袖刳
１３  伸縮性テープ
１４  弾性テープ
１５  ショーツ本体
１５Ａ  ショーツ前身頃
１５Ｂ  ショーツ後身頃
１６  第２実施例のショーツ本体
１６Ａ  第２実施例のショーツ前身頃
１６Ｂ  第２実施例のショーツ後身頃
１８  クロッチ布
１９  前当て布
２０  前当て布左右端縁
２１  股繰
２３  帯状中間布
２４  弾性テープ
２５  撥状通気部
２６  通気性クロッチ布
２７  三角状編地部
【図１】
0003137899.tif 000003
【図２】
0003137899.tif 000004
【図３】
0003137899.tif 000005
【図４】
0003137899.tif 000006
【図５】
0003137899.tif 000007
【図６】
0003137899.tif 000008